(57)【要約】【課題】複数の情報処理装置により情報を提示する場合に、各情報をより見やすい態様で提示することが可能な、新規かつ改良された情報処理装置、情報処理方法、及び情報処理システムを提案する。【解決手段】表示情報を取得する情報取得部と、前記表示情報を表示する第１の表示部と、を備え、前記第１の表示部は、当該第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記表示情報の表示が制御される、情報処理装置。【選択図】図３
2015176186.tif 000002
【特許請求の範囲】
【請求項１】
表示情報を取得する情報取得部と、
前記表示情報を表示する第１の表示部と、
を備え、
前記第１の表示部は、当該第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記表示情報の表示が制御される、情報処理装置。
【請求項２】
前記第１の表示部は、透過型の表示デバイスであり、
当該第１の表示部は、当該第１の表示部が前記表示情報をユーザに向けて提示する方向とは逆側における前記第２の表示部の相対的な位置関係に応じた、前記表示情報の表示先の制御と前記レイアウトの制御とのうち、少なくともいずれかの制御に基づいて、前記表示情報の表示が制御される、請求項１に記載の情報処理装置。
【請求項３】
前記第１の表示部は、当該第１の表示部が前記表示情報をユーザに向けて提示する方向とは逆側における所定の領域内に前記第２の表示部が位置する場合に、前記表示情報のうち少なくとも一部の表示情報の表示が制限されるように制御される、請求項２に記載の情報処理装置。
【請求項４】
前記第１の表示部が、ユーザの眼前に保持されるように、当該第１の表示部を前記ユーザの頭部に保持する保持部を備えた、請求項２に記載の情報処理装置。
【請求項５】
透過型の表示デバイスとして構成された前記第２の表示部を備えた前記外部装置と連携して動作する情報処理装置であり、
前記第１の表示部は、前記第２の表示部が前記表示情報を視聴者に向けて提示する方向とは逆側における、当該第２の表示部に対する当該第１の表示部の相対的な位置関係に応じた、前記表示情報の表示先の制御と前記レイアウトの制御とのうち、少なくともいずれかの制御に基づいて、前記表示情報の表示が制御される、請求項１に記載の情報処理装置。
【請求項６】
前記第１の表示部は、前記第２の表示部が前記表示情報をユーザに向けて提示する方向とは逆側における所定の領域内に前記第１の表示部が位置する場合に、前記第２の表示部に表示された前記表示情報のうち少なくとも一部の表示情報が表示されるように制御される、請求項５に記載の情報処理装置。
【請求項７】
前記第１の表示部は、当該第１の表示部に表示された前記表示情報と、前記第２の表示部に表示された前記表示情報のうち少なくとも一部の表示情報とが統合された表示情報を表示されるように制御される、請求項６に記載の情報処理装置。
【請求項８】
前記第１の表示部は、前記第２の表示部に対する当該第１の表示部の相対的な位置関係に応じた、前記表示情報のレイアウトを変更する制御に基づいて、当該表示情報の表示が制御される、請求項５に記載の情報処理装置。
【請求項９】
前記第１の表示部は、前記第２の表示部に表示された表示情報の表示位置に応じた、当該第１の表示部に表示される表示情報のレイアウトを変更する制御に基づいて、当該表示情報の表示が制御される、請求項８に記載の情報処理装置。
【請求項１０】
前記第１の表示部は、前記第２の表示部に対する当該第１の表示部の相対的な位置関係と、前記第２の表示部における前記表示情報の表示態様とに応じた、当該第１の表示部に表示される前記表示情報の表示態様を変更する制御に基づいて、当該表示情報の表示が制御される、請求項５に記載の情報処理装置。
【請求項１１】
前記第１の表示部は、前記第２の表示部が前記表示情報をユーザに向けて提示する方向とは逆側における所定の領域内に前記第１の表示部が位置する場合に、前記第２の表示部における前記表示情報の表示態様に基づき、当該第１の表示部に表示される前記表示情報の表示態様が変更されるように、当該表示情報の表示が制御される、請求項１０に記載の情報処理装置。
【請求項１２】
前記第１の表示部は、前記表示情報の拡大率を前記表示態様として変更する制御に基づいて、当該表示情報の表示が制御される、請求項１０に記載の情報処理装置。
【請求項１３】
前記第１の表示部と前記第２の表示部との間の相対的な位置関係に応じて、前記表示情報の表示先の制御と、前記レイアウトの制御とのうち、少なくともいずれかの制御を実行する制御部を備えた、請求項１に記載の情報処理装置。
【請求項１４】
前記第１の表示部と前記第２の表示部との間の相対的な位置関係を示す位置情報を取得する位置情報取得部を備え、
前記制御部は、取得された前記位置情報に基づき、前記表示情報の表示先の制御と、前記レイアウトの制御とのうち、少なくともいずれかの制御を実行する、請求項１３に記載の情報処理装置。
【請求項１５】
表示情報を取得することと、
プロセッサが、第１の表示部に前記表示情報を表示することと、
前記第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記第１の表示部への前記表示情報の表示が制御されること、
を含む情報処理方法。
【請求項１６】
第１の表示部を備えた第１の情報処理装置と、
第２の表示部を備えた第２の情報処理装置と、
前記第１の表示部と前記第２の表示部との間の相対的な位置関係に応じて、前記第１の表示部と前記第２の表示部との間における表示情報の表示先と、前記第１の表示部に表示される前記表示情報のレイアウトとのうち、少なくともいずれかを制御する制御部と、
を備えた、情報処理システム。
【請求項１７】
表示情報を取得する情報取得部と、
第１の表示部と、当該第１の表示部とは異なる装置に設けられた第２の表示部との間の相対的な位置関係に応じて、前記第１の表示部と前記第２の表示部との間における前記表示情報の表示先と、前記第１の表示部に表示される前記表示情報のレイアウトとのうち、少なくともいずれかを制御する制御部と、
を備えた、情報処理装置。
【発明の詳細な説明】
【技術分野】
【０００１】
本開示は、情報処理装置、情報処理方法、及び情報処理システムに関する。
【背景技術】
【０００２】
近年では、ユーザが身に着けて持ち歩くことが可能なウェアラブルコンピュータとして、様々な端末が提案されている。このようなウェアラブルコンピュータの中には、眼鏡のレンズ部分が透過型のディスプレイとして構成された眼鏡型の情報端末（以降では、単に「眼鏡型端末」と呼ぶ場合がある）がある。
【０００３】
このような眼鏡型端末の特性を活かすことで、例えば、眼鏡型端末側に提示される情報を、透過型のディスプレイ越しに観測される物体や他の情報端末が提示する情報に重畳表示させることも可能となる。
【先行技術文献】
【特許文献】
【０００４】
【特許文献１】特開２０１３−０７７０３１号公報
【発明の概要】
【発明が解決しようとする課題】
【０００５】
一方で、眼鏡型端末の表示部（透過型のディスプレイ）越しに、例えばスマートフォンのような他の情報処理装置の表示部（ディスプレイ）に表示される情報が観測される場合には、双方の表示部に表示される情報が重畳して、各情報の判別が困難になる場合がある。また、眼鏡型端末と他の情報処理装置とでは、ユーザの眼から表示部までの距離がそれぞれ異なるため、ユーザは双方の情報を参照するためには、各表示部に対して焦点を合わせる必要があり、この動作が眼の疲労につながる場合が少なくない。
【０００６】
そこで、本開示では、複数の情報処理装置により情報を提示する場合に、各情報をより見やすい態様で提示することが可能な、新規かつ改良された情報処理装置、情報処理方法、及び情報処理システムを提案する。
【課題を解決するための手段】
【０００７】
本開示によれば、表示情報を取得する情報取得部と、前記表示情報を表示する第１の表示部と、を備え、前記第１の表示部は、当該第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記表示情報の表示が制御される、情報処理装置が提供される。
【０００８】
また、本開示によれば、表示情報を取得することと、プロセッサが、第１の表示部に前記表示情報を表示することと、前記第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記第１の表示部への前記表示情報の表示が制御されること、を含む情報処理方法が提供される。
【０００９】
また、本開示によれば、第１の表示部を備えた第１の情報処理装置と、第２の表示部を備えた第２の情報処理装置と、前記第１の表示部と前記第２の表示部との間の相対的な位置関係に応じて、前記第１の表示部と前記第２の表示部との間における表示情報の表示先と、前記第１の表示部に表示される前記表示情報のレイアウトとのうち、少なくともいずれかを制御する制御部と、を備えた、情報処理システムが提供される。
【００１０】
また、本開示によれば、表示情報を取得する情報取得部と、第１の表示部と、当該第１の表示部とは異なる装置に設けられた第２の表示部との間の相対的な位置関係に応じて、前記第１の表示部と前記第２の表示部との間における前記表示情報の表示先と、前記第１の表示部に表示される前記表示情報のレイアウトとのうち、少なくともいずれかを制御する制御部と、を備えた、情報処理装置が提供される。
【発明の効果】
【００１１】
以上説明したように本開示によれば、複数の情報処理装置により情報を提示する場合に、各情報をより見やすい態様で提示することが可能な、情報処理装置、情報処理方法、及び情報処理システムが提供される。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の実施形態に係る情報処理システムの概略的なシステム構成について説明するための説明図である。
【図２】同実施形態に係る眼鏡型の情報処理装置の概略的な構成の一例について説明するための説明図である。
【図３】同実施形態に係る情報処理システムの概要について説明するための説明図である。
【図４】同実施形態に係る情報処理システムの概要について説明するための説明図である。
【図５】同実施形態に係る情報処理システムのシステム構成の他の一例について説明するための説明図である。
【図６】同実施形態に係る情報処理装置のハードウェア構成の一例を示している。
【図７】同実施形態に係る情報処理システムの概略的な機能構成の一例を示したブロック図である。
【図８】同実施形態に係る眼鏡型端末と他の情報処理装置との間の連携の開始に係る処理の一例を示したフローチャートである。
【図９】同実施形態に係る眼鏡型端末と他の情報処理装置との間の連携の終了に係る処理の一例を示したアクティビティ図である。
【図１０】同実施形態に係る眼鏡型端末と他の情報処理装置との間の連携に係る処理の一例を示したアクティビティ図である。
【図１１】変形例１に係る情報処理システムの概要について説明するための説明図である。
【図１２】変形例２に係る情報処理システムの概要について説明するための説明図である。
【図１３】変形例３に係る情報処理システムの概要について説明するための説明図である。
【図１４】変形例４に係る情報処理システムの概要について説明するための説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．１．概要
１．１．システム構成
１．２．情報処理システムの概略的な動作
２．ハードウェア構成
３．機能構成
４．処理
５．変形例
５．１．変形例１
５．２．変形例２
５．３．変形例３
５．４．変形例４
６．まとめ
【００１６】
＜１．概要＞
［１．１．システム構成］
まず、図１を参照して、本開示の実施形態に係る情報処理システムの概略的なシステム構成について説明する。図１は、本実施形態に係る情報処理システムの概略的なシステム構成について説明するための説明図である。
【００１７】
図１に示すように、本実施形態に係る情報処理システム１は、情報処理装置１０及び３０を含む。情報処理装置１０は、例えば、レンズの部分が透過型のディスプレイとして構成された眼鏡型の情報処理装置として構成され得る。また、情報処理装置３０は、情報処理装置１０とは異なる筐体（即ち、外部装置）として構成され表示部（ディスプレイ）を備える。情報処理装置３０は、例えば、スマートフォンのような携帯可能なユーザ端末でもよいし、ＰＣのような情報処理端末でもよい。
【００１８】
ここで、図２を参照しながら、眼鏡型の情報処理装置１０の構成の一例についてさらに詳しく説明する。図２は、本実施形態に係る眼鏡型の情報処理装置１０の概略的な構成の一例について説明するための説明図である。なお、以降では、説明をわかりやすくするために、眼鏡型の情報処理装置１０を、情報処理装置３０と区別して「眼鏡型端末１０」と呼称する場合がある。
【００１９】
図２に示すように、眼鏡型端末１０は、例えば、レンズ１５ａ及び１５ｂと、保持部１９と、情報処理ユニット１１と、位置情報取得部１３とを含む。図２において、レンズ１５ｂは、左眼の眼前に保持される左眼用のレンズに相当し、レンズ１５ａは、右眼の眼前に保持される右眼用のレンズに相当する。なお、本実施形態に係る眼鏡型端末１０において、レンズ１５ａ及び１５ｂは、必ずしもユーザの視力を矯正する機能、即ち、光を屈折させて、発散または収束させる機能を有している必要はない。
【００２０】
保持部１９は、例えば、眼鏡のフレームに相当し、レンズ１５ａ及び２２ｂがユーザの眼前に保持されるように、眼鏡型端末１０をユーザの頭部に保持する。
【００２１】
また、レンズ１５ａ及び１５ｂの少なくとも一方における、少なくとも一部の領域は、情報やコンテンツを表示するための表示部１７が形成されていてもよい。表示部１７には、例えば、液晶パネルが用いられ、透過率を制御することで、スルー状態、即ち、透明または半透明の状態に制御可能に構成されている。
【００２２】
なお、前述した表示部１７の構成はあくまで一例であり、レンズ１５ａ及び１５ｂの少なくとも一方における、少なくとも一部の領域を、情報を表示するための表示部１７として実現できれば、その構成は特に限定されない。例えば、レンズ１５ａの一部の領域を投影面とする画像投影デバイスを設けることで、当該一部の領域を表示部１７としてもよい。また、必ずしもレンズ１５ａ及び１５ｂの双方を設ける必要はなく、レンズ１５ａ及び１５ｂのいずれか片方のみを設け、当該片方を表示部１７として利用してもよい。なお、レンズ１５ａ及び１５ｂのいずれか片方のみを設ける場合には、保持部１９の構成は、図２に示す例に限らず、適宜変更してもよいことは言うまでもない。また、レンズ１５ａ及び１５ｂのうち、少なくとも表示部１７が設けられる一方を透過型のディスプレイとして実現する場合には、例えば、レンズ１５ａ及び１５ｂを、樹脂やガラスのような透明材料により形成してもよい点は言うまでもない。
【００２３】
また、レンズ１５ａ及び１５ｂの少なくとも一方における、少なくとも一部の領域を表示部１７として動作させるための制御ユニットは、例えば、保持部１９のいずれかの位置に設けてもよいし、後述する情報処理ユニット１１の一部の機能として実現してもよい。
【００２４】
また、上記では、レンズ１５ａ及び１５ｂのうち、少なくとも表示部１７が設けられる一方を透過型のディスプレイとして実現する例について説明したが、必ずしも上述のように、透過型ディスプレイにより実現する構成に限定されるものではない。例えば、レンズ１５ａ及び１５ｂに相当する部分の全面をディスプレイとして構成し、別途視線方向を撮像する撮像部を設け、当該撮像部で撮像された画像をレンズ１５ａ及び１５ｂに相当する当該ディスプレイに表示させる構成としてもよい。
【００２５】
位置情報取得部１３及び情報処理ユニット１１は、例えば、保持部１９の一部に保持される。具体的な一例として、図２に示す例では、位置情報取得部１３及び情報処理ユニット１１は、眼鏡のテンプル（ツル）に相当する部分に保持されている。なお、以下に説明する位置情報取得部１３及び情報処理ユニット１１の各機能を実現可能であれば、位置情報取得部１３及び情報処理ユニット１１が保持される位置は特に限定されない。
【００２６】
位置情報取得部１３は、表示部１７がユーザに向けて情報を提示する方向とは逆側の方向に情報処理装置３０が存在する場合に、当該情報処理装置３０の表示部３１の位置を特定するための情報（以降では、「位置情報」と呼ぶ場合がある）を取得する。ここで、表示部１７がユーザに向けて情報を提示する方向とは、ユーザが眼鏡型端末１０を頭部に装着した場合に、表示部１７に対して当該ユーザの眼球が位置する方向を示している。つまり、位置情報取得部１３は、表示部１７に対してユーザの眼球とは逆側の方向、即ち、眼鏡型端末１０を装着したユーザの前方（以降では、「眼鏡型端末１０の前方」と呼ぶ場合がある）に存在する情報処理装置３０の表示部３１の位置情報を取得する。
【００２７】
位置情報取得部１３は、例えば、眼鏡型端末１０の前方の画像を撮像する撮像部により構成され得る。この場合には、位置情報取得部１３により撮像された画像中における表示部３１（もしくは、情報処理装置３０）の位置、向き、及び大きさにより、眼鏡型端末１０の表示部１７に対する表示部３１の相対的な位置、向き、及び距離（以降では、総じて「相対位置」と呼ぶ場合がある）を特定することが可能である。また、取得された画像中に情報処理装置３０が撮像されているか否かに応じて、当該眼鏡型端末１０の前方に情報処理装置３０が存在するか否かを認識可能であることは言うまでもない。
【００２８】
また、表示部１７に対する表示部３１の相対位置を特定可能であれば、位置情報取得部１３の構成は、撮像部に限定されない。例えば、位置情報取得部１３を各種センサ等により構成することで、眼鏡型端末１０の前方に存在する情報処理装置３０の表示部３１の相対位置をセンシングしてもよい。
【００２９】
また、このとき情報処理装置３０は、眼鏡型端末１０に、自身が連携の対象となる外部装置であることを通知してもよい。具体的な一例として、情報処理装置３０は、表示部３１の近傍に設けられたＬＥＤ（Light  Emitting  Diode）等の発光素子を、あらかじめ決められた発光パターンで点滅もしくは点灯させることで、自身が連携の対象となる外部装置であることを眼鏡型端末１０に通知してもよい。この場合には、例えば、眼鏡型端末１０は、撮像された画像中における情報処理装置３０に設けられた発光素子の発光パターンに基づき、当該情報処理装置３０が連携の対象となる外部装置であることを認識すればよい。なお、上記に示す例はあくまで一例であり、情報処理装置３０が連携の対象となる外部装置であることを眼鏡型端末１０側で認識可能であれば、その方法は特に限定されない。そのため、例えば、情報処理装置３０は、表示部３１上に自身を認識するための画像（例えば、２次元コード等）を表示させることで、自身が連携の対象となる外部装置であることを眼鏡型端末１０に通知してもよい。このような構成により、例えば、眼鏡型端末１０は、情報処理装置３０を複数認識した場合においても、前述した通知に基づき、連携の対象となる情報処理装置３０を特定することが可能となる。
【００３０】
情報処理ユニット１１は、位置情報取得部１３が取得した情報処理装置３０の表示部３１の位置情報に基づき、眼鏡型端末１０の表示部１７と情報処理装置３０の表示部３１との間の相対的な位置関係を特定する。なお、表示部１７と表示部３１との相対的な位置関係の特定方法は、位置情報取得部１３の説明とあわせて前述したとおりである。
【００３１】
また、情報処理ユニット１１は、情報処理装置３０（即ち、眼鏡型端末１０と連携する外部装置）と通信可能に構成されており、特定した表示部１７と表示部３１との間の相対的な位置関係を示す情報を、当該情報処理装置３０に通知する。このような構成により、情報処理装置３０は、情報処理ユニット１１から通知された情報に基づき、表示部１７に対する表示部３１の相対的な位置関係を認識することが可能となる。
【００３２】
なお、情報処理装置３０側で、表示部１７と表示部３１との間の相対的な位置関係を必ずしも認識する必要が無い場合には、眼鏡型端末１０から情報処理装置３０への当該位置関係を示す情報を必ずしも通知する必要が無いことは言うまでもない。具体的な一例として、表示部１７と表示部３１との間の相対的な位置関係に基づく制御を、眼鏡型端末１０が主体的に実行する場合には、必ずしも情報処理装置３０に対して、当該位置関係を示す情報を通知する必要はない。
【００３３】
本実施形態に係る情報処理システム１では、特定された眼鏡型端末１０と情報処理装置３０との間の相対的な位置関係に基づき、表示部１７への情報の表示と、情報処理装置３０の表示部への情報の表示とを連携させる。そこで、本実施形態に係る情報処理システム１の動作の概要について以下に説明する。
【００３４】
［１．２．情報処理システムの概略的な動作］
図３を参照しながら、本実施形態に係る情報処理システム１の動作の概要について説明する。図３は、本実施形態に係る情報処理システム１の概要について説明するための説明図である。
【００３５】
例えば、図３の左側は、透過型のディスプレイとして構成された眼鏡型端末１０の表示部１７を介したユーザの視界内に、情報処理装置３０の表示部３１が存在しない状態を示している。このとき、表示部１７には表示情報ｖ１１ａが表示され、表示部３１には表示情報ｖ３１ａが表示されている。
【００３６】
また、図３の右側は、ユーザが表示部１７越しに表示部３１を観測した状態、換言すると、表示部１７がユーザに向けて表示情報を提示する方向とは逆側の方向の所定の領域内に表示部３１が存在する状態を示している。この場合には、本実施形態に係る眼鏡型端末１０と情報処理装置３０とは互いに連携し、それぞれの表示部に表示された表示情報を統合していずれか一方の表示部に表示させ、他方の表示部については情報の表示を制限する。なお、本説明における情報の表示の制限とは、例えば、情報の表示を停止する場合や、一部の情報を非表示とする場合、及び、画面端部などのようにユーザの視界を阻害しない位置に一部の表示情報を退避させる場合を含み得る。
【００３７】
例えば、図３に右側に示す例の場合には、表示部１７に表示されていた表示情報ｖ１１ａが情報処理装置３０側に送信され、表示情報ｖ１１ｂとして表示部３１に表示されている。また、このとき、情報処理装置３０は、表示部３１に表示されていた表示情報ｖ３１ａのレイアウトを一部変更することで、表示部ｖ１１ｂを表示するための領域を確保してもよい。また、表示部３１への表示情報ｖ３１ｂの表示を受けて、眼鏡型端末１０は、参照符号ｖ１０に示すように、表示部１７への情報の表示を停止している（即ち、情報が表示されない非表示状態としている）。
【００３８】
ここで、図４を参照しながら、本実施形態に係る情報処理システム１の概略的な動作について説明する。図４は、本実施形態に係る情報処理システムの概要について説明するための説明図である。
【００３９】
眼鏡型端末１０は、前述した位置情報取得部１３（図２参照）から通知される位置情報に基づき、当該眼鏡型端末１０の前方に情報処理装置３０が存在するか否かを確認する。そして、眼鏡型端末１０は、当該眼鏡型端末１０の前方に情報処理装置３０が存在する場合に、表示部１７に対する表示部３１の相対位置を認識し、認識した相対位置を示す相対位置情報を情報処理装置３０に通知する。これにより、眼鏡型端末１０と情報処理装置３０とは、互いの相対的な位置関係を認識し、当該位置関係に応じて、互いの表示部への情報の表示を連携させることが可能となる。
【００４０】
このような構成により、例えば、図３に示すように、ユーザが表示部１７越しに表示部３１を観測した場合に、情報処理装置３０は、表示部１７及び３１それぞれに表示されていた表示情報を表示部３１側に統合する。そして、眼鏡型端末１０は、表示部１７への情報の表示を停止させる。
【００４１】
なお、眼鏡型端末１０と情報処理装置３０との連携に基づく、表示部１７及び３１への表示情報の表示に係る制御の主体は、特に限定されない。例えば、眼鏡型端末１０と情報処理装置３０とのいずれか一方が制御の主体となり、他方は一方の制御に基づき従属的に動作する構成としてもよい。眼鏡型端末１０と情報処理装置３０と双方が独立的に動作し、互いの状態（例えば、相対位置）に応じて、自身の表示部への表示情報の表示を制御する構成としてもよい。
【００４２】
また、他の一例として、眼鏡型端末１０と情報処理装置３０との連携に基づく、表示部１７及び３１への表示情報の表示に係る制御の主体を、眼鏡型端末１０及び情報処理装置３０とは別に設けてもよい。例えば、図５は、本実施形態に係る情報処理システム１のシステム構成の他の一例として、表示部１７及び３１への表示情報の表示に係る制御主体を、眼鏡型端末１０及び情報処理装置３０とは別に設けた場合の一例を示している。
【００４３】
図５に示す例では、眼鏡型端末１０及び情報処理装置３０に加えて、制御装置９０が設けられている。制御装置９０は、眼鏡型端末１０及び情報処理装置３０の双方と通信可能に構成され、当該通信を介して、眼鏡型端末１０及び情報処理装置３０を制御する。
【００４４】
図５に示す例の場合には、例えば、眼鏡型端末１０は、特定した表示部１７に対する表示部３１の相対位置を示す相対位置情報を制御装置９０に通知する。この通知を受けて、制御装置９０は、通知された相対位置情報に基づき、表示部１７にと表示部３１との相対的な位置関係を認識し、当該位置関係に応じて、眼鏡型端末１０及び情報処理装置３０それぞれの表示部への情報の表示を制御すればよい。
【００４５】
また、図４及び図５に示す例では、眼鏡型端末１０が、当該眼鏡型端末１０に対する情報処理装置３０の相対位置を認識する構成について示しているが、相対位置を認識する主体は情報処理装置３０側でもよい。少なくとも、表示部１７と表示部３１との相対的な位置関係を認識できれば、その主体は特に限定されない。そのため、例えば、眼鏡型端末１０及び情報処理装置３０とは異なる外部装置が、表示部１７と表示部３１との相対的な位置関係を認識し、当該位置関係を眼鏡型端末１０及び情報処理装置３０に通知する構成としてもよい。
【００４６】
このように、本実施形態に係る眼鏡型端末１０と情報処理装置３０とは、互いの表示部の相対的な位置関係に応じた、表示情報の表示先の制御と、表示情報のレイアウトの制御とのうち少なくともいずれかに基づき、当該表示部への情報の表示が制御される。
【００４７】
このような構成により、例えば、図３に示すように、ユーザが表示部１７越しに表示部３１を観測した場合に、表示部１７及び３１それぞれに表示されていた表示情報が表示部３１側に統合され、表示部１７が非表示状態に制御される。これにより、ユーザは、表示部３１にのみ焦点を合わせることで、表示部１７及び３１のそれぞれに表示されていた表示情報を、当該表示部３１上にて観測することが可能となる。また、表示部３１に情報が統合されるため、表示部１７及び３１の双方に表示された表示情報が互いに重畳し、各表示情報を判別することが困難となる事態を防止することも可能となる。
【００４８】
以上、図１〜図５を参照しながら、本実施形態に係る情報処理システム１の概要について説明した。なお、以降では、眼鏡型端末１０及び情報処理装置３０についてさらに詳しく説明する。
【００４９】
＜２．ハードウェア構成＞
図６を参照して、本実施形態に係る眼鏡型端末１０のハードウェア構成の一例について説明する。図６は、本実施形態に係る情報処理装置のハードウェア構成の一例を示した図である。
【００５０】
図６に示すように、例えば、本実施形態に係る眼鏡型端末１０は、プロセッサ９０１と、メモリ９０３と、ストレージ９０５と、表示デバイス９０９と、バス９１５とを含む。また、眼鏡型端末１０は、通信デバイス９１１と、操作デバイス９１３と、撮像デバイス９０７とを含んでもよい。
【００５１】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、眼鏡型端末１０の様々な処理を実行する。プロセッサ９０１は、例えば、各種演算処理を実行するための電子回路により構成することが可能である。メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。
【００５２】
撮像デバイス９０７は、プロセッサ９０１の制御に従い、レンズを介して静止画像または動画像を撮像する機能を有する。撮像デバイス９０７は、撮像した画像をメモリ９０３またはストレージ９０５に記憶させてもよい。
【００５３】
表示デバイス９０９は、出力装置の一例であり、液晶ディスプレイ（ＬＣＤ：Liquid  Crystal  Display）装置、有機ＥＬ（ＯＬＥＤ：Organic  Light  Emitting  Diode）ディスプレイ装置などの表示装置であってよい。表示デバイス９０９は、ユーザに対して画面を表示することにより情報を提供することができる。
【００５４】
なお、図２に示すように、眼鏡のレンズ部分を表示装置として構成する場合には、表示デバイス９０９として、透過型のディスプレイを適用してもよい。
【００５５】
通信デバイス９１１は、眼鏡型端末１０が備える通信手段であり、ネットワークを介して外部装置と通信する。通信デバイス９１１は、無線通信用のインタフェースであり、通信アンテナ、ＲＦ（Radio  Frequency）回路、ベースバンドプロセッサなどを含んでもよい。具体的な一例として、通信デバイス９１１は、ブルートゥース（登録商標）のような所定の通信エリア内に存在する１以上の情報処理装置３０との間で無線通信を確立することが可能な通信デバイスであってもよい。
【００５６】
通信デバイス９１１は、外部装置から受信した信号に各種の信号処理を行う機能を有し、受信したアナログ信号から生成したデジタル信号をプロセッサ９０１に供給することが可能である。
【００５７】
操作デバイス９１３は、ユーザが所望の操作を行うための入力信号を生成する機能を有する。操作デバイス９１３は、例えばボタン及びスイッチなどユーザが情報を入力するための入力部と、ユーザによる入力に基づいて入力信号を生成し、プロセッサ９０１に供給する入力制御回路などから構成されてよい。
【００５８】
バス９１５は、プロセッサ９０１、メモリ９０３、ストレージ９０５、撮像デバイス９０７、表示デバイス９０９、通信デバイス９１１、及び操作デバイス９１３を相互に接続する。バス９１５は、複数の種類のバスを含んでもよい。
【００５９】
＜３．機能構成＞
次に、図７を参照しながら、本実施形態に係る情報処理システム１における眼鏡型端末１０及び情報処理装置３０の概略的な機能構成の一例について説明する。図７は、本実施形態に係る情報処理システム１の概略的な機能構成の一例を示したブロック図である。
【００６０】
まず、眼鏡型端末１０に着目して説明する。図７に示すように、眼鏡型端末１０は、制御部１０１と、通信部１０３と、解析部１０５と、位置情報取得部１３と、表示部１７とを含む。なお、位置情報取得部１３及び表示部１７については、図２に基づいて前述したため詳細な説明は省略する。また、図７では、眼鏡型端末１０が位置情報取得部１３を含む例を示しているが、位置情報取得部１３（例えば、撮像部）を眼鏡型端末１０とは異なる外部装置として、当該眼鏡型端末１０の外部に設ける構成としてもよい。
【００６１】
通信部１０３は、眼鏡型端末１０が情報処理装置３０と通信を行うためのインタフェースである。特に、本実施形態に係る通信部１０３は、情報処理装置３０との間でネットワークｎ１を介して情報を送受信可能に構成されている。なお、ネットワークｎ１は、例えば、異なる機器を接続するための無線の伝送路であり、具体的な一例としてブルートゥース（登録商標）規格に基づく無線通信ネットワークが挙げられる。通信部１０３は、例えば、図６に示した通信デバイス９１１により構成され得る。
【００６２】
なお、以降では、眼鏡型端末１０内の各構成が情報処理装置３０のような外部装置との間でデータを送受信する場合には、特に記載が無い場合においても、通信部１０３を介してデータの送受信を行うものとする。
【００６３】
解析部１０５は、前述した情報処理ユニット１１に相当し、位置情報取得部１３から、情報処理装置３０の位置情報を取得し、取得した位置情報に基づき、表示部１７と表示部３１との間の相対的な位置関係を特定する。
【００６４】
具体的な一例として、解析部１０５は、撮像部として構成された位置情報取得部１３により撮像された画像を、当該位置情報取得部１３から取得する。この場合には、解析部１０５は、取得した画像中に情報処理装置３０が撮像されているか否かに応じて、眼鏡型端末１０の前方に情報処理装置３０が存在するか否かを認識する。そして、解析部１０５は、眼鏡型端末１０の前方に情報処理装置３０が存在する場合に、画像中における表示部３１（もしくは、情報処理装置３０自体）の位置、向き、及び大きさにより、眼鏡型端末１０の表示部１７に対する表示部３１の相対位置を特定する。これにより、解析部１０５は、眼鏡型端末１０の表示部１７と情報処理装置３０の表示部３１との間の相対的な位置関係を特定することが可能となる。
【００６５】
なお、撮像された画像に基づき表示部１７に対する表示部３１の相対位置を特定する場合には、表示部１７の位置自体は、表示部１７と位置情報取得部１３との位置関係に応じて認識可能であることは言うまでもない。
【００６６】
解析部１０５は、表示部１７と表示部３１との間の相対的な位置関係を示す相対位置情報を、制御部１０１と情報処理装置３０とに通知する。なお、情報処理装置３０に特定された相対位置情報が通知されることで、情報処理装置３０は、当該相対位置情報に基づき、表示部１７と表示部３１との間の相対的な位置関係を認識することが可能となることは言うまでもない。
【００６７】
制御部１０１は、表示対象となる表示情報を取得し、表示部１７への当該表示情報の表示を制御する。なお、表示情報の取得元は特に限定されない。例えば、制御部１０１は、インターネット等の外部ネットワークを介して表示対象となる表示情報を取得してもよい。また、制御部１０１は、可搬媒体などの記録メディアや、眼鏡型端末１０内の記憶部（図示しない）に記憶されたデータを読み出し、当該データに基づく表示情報を表示部１７に表示させてもよい。また、制御部１０１は、表示対象となる表示情報を、ネットワークｎ１を介して情報処理装置３０から取得してもよい。なお、制御部１０１における、表示情報を取得する構成が、眼鏡型端末１０における「取得部」に相当する。
【００６８】
また、制御部１０１は、表示部１７と表示部３１との間の相対的な位置関係を示す相対位置情報を解析部１０５から取得し、当該相対位置情報に基づき表示部１７への情報の表示を制御してもよい。
【００６９】
例えば、図３に示す例の場合には、制御部１０１は、眼鏡型端末１０の前方の所定の領域内に表示部３１が存在する場合には、表示対象となる表示情報を情報処理装置３０に送信し、表示部１７への情報の表示を制限（例えば、停止）してもよい。
【００７０】
また、制御部１０１は、表示部１７の情報の表示を、情報処理装置３０側からの制御に基づき従属的に実行してもよい。このような構成の場合には、例えば、制御部１０１は、表示対象となる表示情報を情報処理装置３０から取得した場合に、取得した当該表示情報を表示部１７に出力する構成であってもよい。
【００７１】
なお、制御部１０１と解析部１０５とは、例えば、図６に示したプロセッサ９０１により構成され得る。また、表示部１７は、図６に示した表示デバイス９０９により構成することが可能であり、位置情報取得部１３は、例えば、図６に示した撮像デバイス９０７により構成することが可能である。
【００７２】
次に、情報処理装置３０に着目して説明する。図７に示すように、情報処理装置３０は、制御部３０１と、通信部３０３と、表示部３１とを含む。
【００７３】
通信部３０３は、情報処理装置３０が眼鏡型端末１０と通信を行うためのインタフェースである。特に、本実施形態に係る通信部３０３は、眼鏡型端末１０との間でデータを送受信可能に構成されている。
【００７４】
なお、以降では、情報処理装置３０内の各構成が眼鏡型端末１０のような外部装置との間でデータを送受信する場合には、特に記載が無い場合においても、通信部３０３を介してデータの送受信を行うものとする。
【００７５】
制御部３０１は、表示対象となる表示情報を取得し、表示部３１への当該表示情報の表示を制御する。なお、表示情報の取得元は特に限定されない点は、眼鏡型端末１０の場合と同様である。例えば、制御部３０１は、インターネット等の外部ネットワークを介して表示対象となる表示情報を取得してもよい。また、制御部３０１は、可搬媒体などの記録メディアや、情報処理装置３０内の記憶部（図示しない）に記憶されたデータを読み出し、当該データに基づく表示情報を表示部３１に表示させてもよい。また、制御部３０１は、表示対象となる表示情報を、ネットワークｎ１を介して眼鏡型端末１０から取得してもよい。なお、制御部３０１における、表示情報を取得する構成が、情報処理装置３０における「取得部」に相当する。
【００７６】
また、制御部３０１は、表示部１７と表示部３１との間の相対的な位置関係を示す相対位置情報を眼鏡型端末１０から取得し、当該相対位置情報に基づき表示部３１への情報の表示を制御してもよい。
【００７７】
例えば、図３に示す例の場合には、制御部３０１は、眼鏡型端末１０の前方の所定の領域内に表示部３１が存在する場合には、当該眼鏡型端末１０から表示情報を取得する。そして、制御部３０１は、表示部３１に表示された表示情報と、眼鏡型端末１０から取得した表示情報とを統合し、統合された表示情報を表示部３１に表示させる。なお、このとき、制御部３０１は、表示部３１に表示された表示情報のレイアウトを変更することで、眼鏡型端末１０から取得した表示情報を表示するための領域を確保してもよい。
【００７８】
また、制御部１０１は、情報処理装置３０との連携前において表示部１７に表示情報が表示された状態を復元するためのバックアップ情報を保持するための保持部を設けてもよい。なお、バックアップ情報としては、表示部１７に表示された表示情報や、当該表示情報の表示態様（例えば、拡大率、フォントの種別、表示色、または、表示部の輝度設定等）を制御するための設定情報等が挙げられる。
【００７９】
この場合には、制御部１０１は、情報処理装置３０との間で連携を開始し表示部１７への表示情報の表示を制限する際に、連携前の状態を復元するためのバックアップ情報を保持部に記録してもよい。このような構成に基づき、制御部１０１は、情報処理装置３０との間での連携が終了した場合に、保持部に保持されたバックアップ情報に基づき連携前の状態を復元してもよい。
【００８０】
なお、上記にバックアップ情報の保持と、当該バックアップ情報の復元とに係る構成は、情報処理装置３０側の制御部３０１についても同様である。
【００８１】
以上、図７を参照しながら、本実施形態に係る情報処理システム１における眼鏡型端末１０及び情報処理装置３０の概略的な機能構成の一例について説明した。
【００８２】
＜４．処理＞
次に、図８〜図１０を参照しながら、本実施形態に係る情報処理システム１における、眼鏡型端末１０と情報処理装置３０との間の連携の開始及び終了に係る一連の処理の流れの一例について説明する。なお、本説明では、眼鏡型端末１０及び情報処理装置３０のそれぞれが、自身に設けられた表示部（即ち、表示部１７及び表示部３１）を個々に独立して制御するものとして（即ち、各表示部の制御主体が、当該表示部が備えられた装置に設けられているものとして）説明する。
【００８３】
［４．１．連携の開始及び終了に係る処理］
まず、図８を参照しながら、眼鏡型端末１０と情報処理装置３０との間の連携の開始及び終了に係る全体的な処理の流れについて、連携先の情報処理装置の相対位置を認識する側、即ち、眼鏡型端末１０側の動作に着目して説明する。図８は、本実施形態に係る眼鏡型端末１０と情報処理装置３０との間の連携に係る処理の一例を示したフローチャートである。
【００８４】
（ステップＳ１０１）
まず、眼鏡型端末１０は、位置情報取得部１３が取得した位置情報に基づき、当該眼鏡型端末１０の前方に連携対象となる情報処理装置３０が存在するか否かを確認する。なお、情報処理装置３０の存在が認識された場合には、眼鏡型端末１０は、当該眼鏡型端末１０の表示部１７と当該情報処理装置３０の表示部３１との間の相対的な位置関係を認識する。
【００８５】
（ステップＳ１０３）
眼鏡型端末１０は、情報処理装置３０が認識されたか否かと、当該情報処理装置３０との間の連携が確立されているか否かに応じて、当該情報処理装置３０との間の連携状態を制御する。
【００８６】
（ステップＳ１０５）
例えば、眼鏡型端末１０と情報処理装置３０との間の連携が確立されていない場合には（ステップＳ１０３、ＮＯ）、眼鏡型端末１０は、情報処理装置３０が認識されたか否かに応じて、当該情報処理装置３０との間の連携を確立するか否かを判断する。
【００８７】
（ステップＳ１０７）
情報処理装置３０が認識された場合には（ステップＳ１０５、ＹＥＳ）、眼鏡型端末１０は、当該情報処理装置３０との間で通信を確立し、確立された通信を介して当該情報処理装置３０との間の連携を開始する。なお、情報処理装置３０との間の通信が既に確立している場合には、当該通信の確立に係る処理が実行されなくてもよいことは言うまでもない。また、眼鏡型端末１０と情報処理装置３０との間の連携の開始に係る処理の詳細については別途後述する。なお、情報処理装置３０が認識されなかった場合には（ステップＳ１０５、ＮＯ）、眼鏡型端末１０は、情報処理装置３０との間で連携が確立されないことは言うまでもない。
【００８８】
（ステップＳ１１１）
次いで、眼鏡型端末１０と情報処理装置３０との間の連携が確立されている場合（ステップＳ１０３、ＹＥＳ）について説明する。この場合には、眼鏡型端末１０は、情報処理装置３０が認識されたか否かに応じて、当該情報処理装置３０との間の連携を終了するか否かを判断する。
【００８９】
（ステップＳ１１３）
情報処理装置３０が認識されている間は（ステップＳ１１１、ＹＥＳ）、眼鏡型端末１０は、情報処理装置３０との間の連携を維持する。また、情報処理装置３０が認識されなかった場合には（ステップＳ１１１、ＮＯ）、眼鏡型端末１０は、情報処理装置３０との間の連携を終了する。なお、眼鏡型端末１０と情報処理装置３０との間の連携の終了に係る処理の詳細については別途後述する。
【００９０】
（ステップＳ１０９）
以上のようにして、眼鏡型端末１０は、一連の処理の終了（例えば、眼鏡型端末１０の停止等）が指示されるまで（ステップＳ１０９、ＮＯ）、表示部１７と表示部３１との間の相対的な位置関係を逐次監視し、当該位置関係に応じて情報処理装置３０との間の連携状態を制御する。一連の処理の終了が指示された場合には（ステップＳ１０９、ＹＥＳ）、眼鏡型端末１０は、表示部１７と表示部３１との間の相対的な位置関係の監視と、当該情報処理装置３０との間の連携状態の制御に係る処理とを終了する。
【００９１】
［４．２．連携開始時の処理］
次に、図９を参照しながら、眼鏡型端末１０と情報処理装置３０との間の連携の開始に係る詳細な処理の一例について説明する。図９は、本実施形態に係る眼鏡型端末１０と他の情報処理装置３０との間の連携の開始に係る処理の一例を示したアクティビティ図である。
【００９２】
（ステップＳ２０１）
眼鏡型端末１０は、位置情報取得部１３からの位置情報に基づき連携対象となる情報処理装置３０が認識されると、表示対象として保持している表示情報と、当該表示情報の表示態様（例えば、拡大率）の制御に係る設定情報とを、当該情報処理装置３０に送信する。なお、このとき、眼鏡型端末１０は、連携終了時に表示情報及び設定情報を、バックアップ情報として保持部（図示しない）に保持してもよい。
【００９３】
（ステップＳ２０３）
情報処理装置３０は、表示対象となる表示情報と、当該表示情報の表示態様の制御に係る設定情報とを眼鏡型端末１０から受信する。
【００９４】
（ステップＳ２０５）
情報処理装置３０は、表示部３１に表示された表示情報を、連携終了後に復元できるようにバックアップ情報として保持部（図示しない）に保持する。そして、情報処理装置３０は、眼鏡型端末１０から受信した表示情報と、表示部３１に表示された表示情報とを統合する。
【００９５】
（ステップＳ２０７）
また、情報処理装置３０は、表示部３１に表示された表示情報の表示態様の制御に係る設定情報を、連携終了後に復元できるようにバックアップ情報として保持部（図示しない）に保持する。そして、情報処理装置３０は、眼鏡型端末１０から受信した設定情報を適用することで、表示部３１に表示された表示される表示情報の表示態様を変更する。これにより、例えば、表示部３１に表示される表示情報の拡大率が、眼鏡型端末１０側で設定されていた拡大率に基づき変更される。
【００９６】
（ステップＳ２０９）
なお、情報処理装置３０は、統合された表示情報を表示部３１に表示させる場合に、表示態様の変更や表示情報の統合により、新たに追加された表示情報を表示する領域を確保するために、表示部３１に表示される表示情報のレイアウトを変更してもよい。また、このとき、情報処理装置３０は、変更前のレイアウトを復元するための設定情報を、バックアップ情報として保持部（図示しない）に保持してもよい。
【００９７】
（ステップＳ２１１）
上述した、表示情報の統合、表示態様の更新、及びレイアウトの変更等の、表示情報の表示の連携を開始するための一連の制御が完了したら、情報処理装置３０は、連携開始のための制御の完了を示す完了通知を眼鏡型端末１０に送信する。
【００９８】
（ステップＳ２１３）
眼鏡型端末１０への完了通知の送信が完了したら、情報処理装置３０は、統合された表示情報を表示部３１に表示させる。
【００９９】
（ステップＳ２１５）
眼鏡型端末１０は、連携開始のための制御の完了を示す完了通知を情報処理装置３０から受信する。
【０１００】
（ステップＳ２１７）
完了通知を受信したら、眼鏡型端末１０は、表示部１７への表示情報の表示を制限する。以上により、眼鏡型端末１０と他の情報処理装置３０との間の連携が確立される。
【０１０１】
［４．３．連携終了時の処理］
次いで、図１０を参照しながら、眼鏡型端末１０と情報処理装置３０との間の連携の終了に係る詳細な処理の一例について説明する。図１０は、本実施形態に係る眼鏡型端末１０と他の情報処理装置３０との間の連携の終了に係る処理の一例を示したアクティビティ図である。
【０１０２】
（ステップＳ３０１）
眼鏡型端末１０は、情報処理装置３０との連携が確立されている状態において、位置情報取得部１３からの位置情報に基づき、当該眼鏡型端末１０の前方に情報処理装置３０が存在しないことが認識されると、連携終了通知を情報処理装置３０に送信する。
【０１０３】
（ステップＳ３０３）
情報処理装置３０は、連携終了通知を眼鏡型端末１０から受信する。
【０１０４】
（ステップＳ３０５）
連携終了通知を受信すると、情報処理装置３０は、保持部（図示しない）に保持されたバックアップ情報に基づき、連携前に表示部３１に表示された表示情報を復元する。
【０１０５】
（ステップＳ３０７）
同様に、情報処理装置３０は、保持部（図示しない）に保持されたバックアップ情報に基づき、連携前に表示部３１に表示された表示情報の表示態様を復元する（即ち、設定情報を復元する）。これにより、例えば、表示部３１に表示される表示情報の拡大率が、連携前における表示情報の拡大率に変更される。
【０１０６】
（ステップＳ３０９）
また、情報処理装置３０は、表示情報や表示態様の復元に伴い、表示部３１に表示させる表示情報のレイアウトを変更してもよい。また、保持部（図示しない）にレイアウトの復元に係るバックアップ情報が保持されている場合には、情報処理装置３０は、当該バックアップ情報に基づき連携前における表示情報のレイアウトを復元してもよい。
【０１０７】
（ステップＳ３１１）
上述した、表示情報、表示態様、及びレイアウトの復元等の、表示情報の表示の連携を終了するための一連の制御が完了したら、情報処理装置３０は、連携終了のための制御の完了を示す完了通知を眼鏡型端末１０に送信する。
【０１０８】
（ステップＳ３１３）
眼鏡型端末１０への完了通知の送信が完了したら、情報処理装置３０は、復元した表示情報を表示部３１に表示させる。
【０１０９】
（ステップＳ３１５）
眼鏡型端末１０は、連携終了のための制御の完了を示す完了通知を情報処理装置３０から受信する。
【０１１０】
（ステップＳ３１７）
完了通知を受信したら、眼鏡型端末１０は、保持部（図示しない）に保持されたバックアップ情報に基づき、連携前に表示部１７に表示された表示情報を復元する。そして、眼鏡型端末１０は、復元された表示情報を表示部１７に表示させる。以上により、眼鏡型端末１０と他の情報処理装置３０との間の連携が終了する。
【０１１１】
なお、上述した一連の動作は、眼鏡型端末１０及び情報処理装置３０の各構成を動作させる装置のＣＰＵを機能させるためのプログラムによって構成することができる。このプログラムは、その装置にインストールされたＯＳ（Ｏｐｅｒａｔｉｎｇ  Ｓｙｓｔｅｍ）を介して実行されるように構成してもよい。また、このプログラムは、上述した処理を実行する構成が含まれる装置が読み出し可能であれば、記憶される位置は限定されない。例えば、装置の外部から接続される記録媒体にプログラムが格納されていてもよい。この場合には、プログラムが格納された記録媒体を装置に接続することによって、その装置のＣＰＵに当該プログラムを実行させるように構成するとよい。
【０１１２】
＜５．変形例＞
次に、本実施形態に係る情報処理システム１の変形例について、図１１〜図１４を参照しながらそれぞれ説明する。
【０１１３】
［５．１．変形例１］
まず、図１１を参照しながら、変形例１に係る情報処理システム１について説明する。図１１は、変形例１に係る情報処理システム１の概要について説明するための説明図である。
【０１１４】
図１１は、眼鏡型端末１０の表示部１７と情報処理装置３０の表示部３１との間の相対的な位置関係に応じて、表示部３１に表示される表示情報の拡大率が制御される場合の一例について示している。
【０１１５】
例えば、図１１の左側は、透過型のディスプレイとして構成された眼鏡型端末１０の表示部１７を介したユーザの視界内に、情報処理装置３０の表示部３１が存在しない状態を示している。このとき、表示部１７には表示情報ｖ１２ａが表示され、表示部３１には表示情報ｖ３２ａが表示されており、表示情報ｖ１２ａと表示情報ｖ３２とはそれぞれ異なる拡大率で表示されている。
【０１１６】
また、図１１の右側は、ユーザが表示部１７越しに表示部３１を観測した状態、換言すると、表示部１７がユーザに向けて表示情報を提示する方向とは逆側の方向の所定の領域内に表示部３１が存在する状態を示している。この場合には、変形例１に係る眼鏡型端末１０と情報処理装置３０とは、図３に基づき説明した例と同様に互いに連携し、それぞれの表示部に表示された表示情報を統合していずれか一方の表示部に表示させ、他方の表示部については情報の表示を制限する。
【０１１７】
例えば、図１１に右側に示す例の場合には、表示部１７に表示さえていた表示情報ｖ１２ａが、表示情報ｖ１２ｂとして表示部３１に表示された表示情報ｖ３１ｂと統合されて、表示部３１に表示されている。
【０１１８】
また、図１１の右側に示すように、情報処理装置３０は、眼鏡型端末１０との連携時に当該眼鏡型端末１０から拡大率を示した設定情報を受信し、受信した拡大率に基づき表示部３１に表示させる表示情報ｖ１２ｂ及びｖ３２ｂの拡大率を制御している。
【０１１９】
以上のような構成により、変形例１に係る情報処理システム１では、眼鏡型端末１０と情報処理装置３０との連携時に、眼鏡型端末１０側に設定された拡大率が、情報処理装置３０側に自動で反映される。そのため、ユーザは、情報処理装置３０側に対して煩雑な操作を行わなくても、眼鏡型端末１０の表示部１７に表示された情報と同様の拡大率で、情報処理装置３０側に表示された情報を参照することが可能となる。
【０１２０】
なお、上記では、拡大率を制御する場合を例に説明したが、各表示部へ情報を表示するための表示態様に関するパラメータであれば、制御の対象は必ずしも拡大率に限定されない。例えば、各表示部に表示される情報のフォントの種別、表示色の設定、または、表示部の輝度の設定等を制御対象としてもよい。
【０１２１】
［５．２．変形例２］
次に、図１２を参照しながら変形例２に係る情報処理システム１について説明する。図１２は、変形例２に係る情報処理システム１の概要について説明するための説明図である。前述した実施形態に係る情報処理システム１では、眼鏡型端末１０の表示部１７に表示される表示情報と、情報処理装置３０の表示部３１に表示される表示情報とを統合する例について説明した。変形例２では、眼鏡型端末１０と情報処理装置３０との間での表示情報の統合は行わずに、互いの表示部に表示される表示情報が重畳しないように、表示情報のレイアウトのみを制御する場合の例について説明する。
【０１２２】
例えば、図１２の左側は、透過型のディスプレイとして構成された眼鏡型端末１０の表示部１７を介したユーザの視界内に、情報処理装置３０の表示部３１が存在しない状態を示している。このとき、表示部１７には表示情報ｖ１３が表示され、表示部３１には表示情報ｖ３３ａが表示されている。
【０１２３】
また、図１２の右側は、ユーザが表示部１７越しに表示部３１を観測した状態を示している。この場合には、情報処理装置３０は、眼鏡型端末１０から通知される相対位置情報に基づき当該眼鏡型端末１０と当該情報処理装置３０との間の相対的な位置関係を認識する。そして、情報処理装置３０は、ユーザが表示部１７越しに観測する表示部３１上の領域を特定し、特定した領域に情報が表示されないように表示部３１に表示された表示情報のレイアウトを変更する。
【０１２４】
例えば、図１２の右側に示す例は、ユーザが、表示部１７越しに表示部３１の上側の領域を参照している場合を示している。この場合には、情報処理装置３０は、眼鏡型端末１０と情報処理装置３０との間の相対的な位置関係に基づき、ユーザが表示部１７越しに観測している表示部３１上の領域として表示部３１の上側の領域を特定する。そして、情報処理装置３０は、参照符号ｖ３３ｂに示すように、表示部３１の上側の領域に情報が表示されないように、表示部３１に表示される表示情報のレイアウトを変更する。
【０１２５】
また、情報処理装置３０は、ユーザが表示部１７越しに観測する表示部３１上の領域を、さらに情報の表示を制限する領域と、情報を表示する領域とに分けて制御してもよい。例えば、眼鏡型端末１０の表示部１７のうち、一部の領域にのみ表情情報が表示されている場合には、情報処理装置３０は、当該表示情報が、表示部３１側に表示された表示情報と重畳しないように制御すればよい。
【０１２６】
具体的には、眼鏡型端末１０は、当該眼鏡型端末１０に対する情報処理装置３０の相対位置を示す相対位置情報に加えて、表示部１７の表示領域において表示情報が表示された位置を示す位置情報をあわせて情報処理装置３０に通知すればよい。これにより、情報処理装置３０は、ユーザが表示部１７越しに観測する表示部３１上の領域のうち、表示部１７側で表示情報が表示された領域に対応する表示部３１上の領域をさらに特定することが可能となる。そのため、情報処理装置３０は、ユーザが表示部１７越しに観測する表示部３１上の領域においても、表示部１７側で表示情報が表示されていない領域に対応する表示部３１上の領域については、表示情報を表示するように制御することも可能となる。
【０１２７】
以上、変形例２として説明したように、情報処理システム１は、眼鏡型端末１０と情報処理装置３０との間での表示情報の統合は行わずに、互いの表示部に表示される表示情報が重畳しないように、表示情報のレイアウトのみを制御するように構成してもよい。なお、変形例２に係る情報処理システム１は、変形例１に係る情報処理システム１のように、眼鏡型端末１０と情報処理装置３０とが連携している場合は、情報処理装置３０側の表示情報の拡大率を制御してもよいことは言うまでもない。
【０１２８】
［５．３．変形例３］
次に、変形例３に係る情報処理システム１について、図１３を参照しながら説明する。図１３は、変形例３に係る情報処理システム１の概要について説明するための説明図である。
【０１２９】
例えば、眼鏡型端末１０と情報処理装置３０とを個々に独立して操作する場合と、眼鏡型端末１０の表示部１７越しに情報処理装置３０の表示部３１を参照する場合とでは、利用シーンが異なる場合がある。例えば、図１３に示す例は、画像コンテンツｖ１４ａと、当該画像コンテンツの属性情報ｖ３５ａ（例えば、タイトル等）と、当該画像コンテンツを操作するためのインタフェースｖ３４ａとの表示に係る制御を、眼鏡型端末１０と情報処理装置３０と間で連携させる場合を示している。
【０１３０】
図１３の左側は、透過型のディスプレイとして構成された眼鏡型端末１０の表示部１７を介したユーザの視界内に、情報処理装置３０の表示部３１が存在しない状態を示している。この場合には、表示部１７は、画像コンテンツｖ１４ａを表示するための表示領域として使用され、表示部３１は、属性情報ｖ３５ａ及びインタフェースｖ３４ａを表示するための表示領域として使用されている。このように、属性情報ｖ３５ａ及びインタフェースｖ３４ａが表示部３１側に表示されることで、表示部１７に画像コンテンツｖ１４ａを可能な限り大きく表示することが可能となる。
【０１３１】
一方で、図１３の右側は、ユーザが表示部１７越しに表示部３１を観測した状態を示しておいる。このとき、情報処理装置３０は、前述した実施形態のように、画像コンテンツｖ１４ａ、属性情報ｖ３５ａ、及びインタフェースｖ３４ａを、統合して表示部３１側に表示し、眼鏡型端末１０は、参照符号ｖ１０に示すように表示部１７への情報の表示を制限するものとする。
【０１３２】
このように、図１３の右側に示す例では、図１３の左側に示した例とは利用シーンが異なり、情報処理装置３０は、画像コンテンツｖ１４ａが強調されるように表示し、かつ、属性情報ｖ３５ａ及びインタフェースｖ３４ａについても提示する必要がある。
【０１３３】
そのため、情報処理装置３０は、表示部１７及び３１の双方に表示された表示情報を統合する場合に、対象となる表示情報の種別（例えば、コンテンツの種別）に応じて、統合時のレイアウトを適宜切り替えてもよい。例えば、図１３の右側に示す例では、情報処理装置３０は、参照符号３４ｂ及び３５ｂに示すように、属性情報ｖ３５ａ及びインタフェースｖ３４ａが表示部３１の表示領域の端部に最小限のサイズで表示されるようにレイアウトを変更している。このような処理により、情報処理装置３０は、属性情報ｖ３５ａ及びインタフェースｖ３４ａを提示し、かつ、参照符号ｖ１４ｂに示すように、画像コンテンツｖ１４ａを表示するために、可能な限り大きい領域を確保することが可能となる。
【０１３４】
なお、図１３に示す例はあくまで一例であり、眼鏡型端末１０と情報処理装置３０との間の連携前後において、表示部１７及び３１に表示される表示情報のレイアウトをどのように制御するかは、想定される利用シーンに応じて適宜変更されてもよい。
【０１３５】
以上、変形例３として説明したように、眼鏡型端末１０と情報処理装置３０とを個々に独立して操作する場合と、眼鏡型端末１０の表示部１７越しに情報処理装置３０表示部３１を参照する場合とでは、利用シーンが異なる場合がある。そのため、眼鏡型端末１０と情報処理装置３０との間の連携前後で利用シーンが異なる場合には、眼鏡型端末１０または情報処理装置３０は、各表示部へ表示情報を表示させる場合のレイアウトを、利用シーンに応じて変更してもよい。このような構成により、変形例３に係る情報処理システム１は、表示対象となるコンテンツの種別や、当該コンテンツを表示するための眼鏡型端末１０及び情報処理装置３０の利用シーンに応じて、適宜見やすいレイアウトで各表示情報をユーザに提示することが可能となる。
【０１３６】
［５．４．変形例４］
次に、変形例４に係る情報処理システム１について、図１４を参照しながら説明する。図１４は、変形例４に係る情報処理システム１の概要について説明するための説明図である。図１４に示す例は、眼鏡型端末１０と情報処理装置３０とを個々に独立して操作する場合と、眼鏡型端末１０の表示部１７越しに情報処理装置３０表示部３１を参照する場合とで利用シーンが異なる場合の一例を示している。
【０１３７】
図１４の左側は、透過型のディスプレイとして構成された眼鏡型端末１０の表示部１７を介したユーザの視界内に、情報処理装置３０の表示部３１が存在しない状態を示している。この場合には、表示部１７は、参照符号ｖ１６ａに示すように、画像コンテンツや、当該画像コンテンツを操作するための操作メニューやポインターを表示するための表示領域として使用される。また、表示部３１のタッチパネルに相当する部分が、当該ポインターを操作するためのパッドとして使用されている。
【０１３８】
また、図１４の右側は、ユーザが表示部１７越しに表示部３１を観測した状態を示している。この場合には、情報処理装置３０は、表示部１７に表示されていた画像コンテンツや操作メニューの表示先を表示部３１に切り替え、眼鏡型端末１０は、参照符号ｖ１０に示すように表示部１７への情報の表示を制限している。また、この場合には、情報処理装置３０は、表示部３１を、パッドとしての動作からタッチパネルとしての動作に切り替え、ポインターの表示を制限している。
【０１３９】
また、情報処理装置３０は、画像コンテンツや操作メニューを表示部３１の表示先を表示部３１に切り替えたときに、参照符号ｖ１６ｂに示すように、表示部３１の向きや画面サイズにあわせて画像コンテンツや操作メニューのレイアウトを変更してもよい。
【０１４０】
上記に説明したように、眼鏡型端末１０と情報処理装置３０とを個々に独立して操作する場合と、眼鏡型端末１０の表示部１７越しに情報処理装置３０表示部３１を参照する場合とでは、利用シーンの違いに応じて操作態様を変えることが望ましい場合もある。
【０１４１】
これに対して、変形例４に係る情報処理システム１では、眼鏡型端末１０と情報処理装置３０との間の連携前後において、表示情報の表示先やレイアウトを変更するとともに、操作インタフェース（例えば、表示部３１のタッチパネルに相当する部分）を使用した操作態様を適宜切り替えている。このような構成により、変形例４に係る情報処理システム１は、表示対象となるコンテンツの種別や、当該コンテンツを表示するための眼鏡型端末１０及び情報処理装置３０の利用シーンに応じて、適宜操作のしやすい操作インタフェースをユーザに提供することが可能となる。
【０１４２】
＜６．まとめ＞
以上、説明したように、本実施形態に係る眼鏡型端末１０と情報処理装置３０とは、互いの表示部の相対的な位置関係に応じた、表示情報の表示先の制御と、表示情報のレイアウトの制御とのうち少なくともいずれかに基づき、各表示部への情報の表示が制御される。
【０１４３】
このような構成により、本実施形態に係る情報処理システム１は、ユーザが表示部１７越しに表示部３１を観測した場合に、表示部１７及び３１それぞれに表示されていた表示情報を表示部３１側に統合し、表示部１７を非表示状態に制御することが可能となる。これにより、ユーザは、表示部３１にのみ焦点を合わせることで、表示部１７及び３１のそれぞれに表示されていた表示情報を、当該表示部３１上にて観測することが可能となる。
【０１４４】
また、表示部３１への情報の統合や、表示部３１に表示される表示情報のレイアウトの変更に伴い、表示部１７及び３１の双方に表示された表示情報が互いに重畳し、各表示情報を判別することが困難となる事態を防止することも可能となる。
【０１４５】
なお、上述した例では、互いに連携する情報処理装置のうち一方が眼鏡型端末として構成されている例について説明した。しかしながら、一方の情報処理装置が透過型のディスプレイとして構成された表示部を備えていれば、当該一方の情報処理装置は、必ずしも眼鏡型の端末には限定されないことは言うまでもない。
【０１４６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４８】
なお、以下のような構成も本開示の技術的範囲に属する。
（１）
表示情報を取得する情報取得部と、
前記表示情報を表示する第１の表示部と、
を備え、
前記第１の表示部は、当該第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記表示情報の表示が制御される、情報処理装置。
（２） 
前記第１の表示部は、透過型の表示デバイスであり、
当該第１の表示部は、当該第１の表示部が前記表示情報をユーザに向けて提示する方向とは逆側における前記第２の表示部の相対的な位置関係に応じた、前記表示情報の表示先の制御と前記レイアウトの制御とのうち、少なくともいずれかの制御に基づいて、前記表示情報の表示が制御される、前記（１）に記載の情報処理装置。
（３）
前記第１の表示部は、当該第１の表示部が前記表示情報をユーザに向けて提示する方向とは逆側における所定の領域内に前記第２の表示部が位置する場合に、前記表示情報のうち少なくとも一部の表示情報の表示が制限されるように制御される、前記（２）に記載の情報処理装置。
（４）
前記第１の表示部が、ユーザの眼前に保持されるように、当該第１の表示部を前記ユーザの頭部に保持する保持部を備えた、前記（２）または（３）に記載の情報処理装置。
（５）
透過型の表示デバイスとして構成された前記第２の表示部を備えた前記外部装置と連携して動作する情報処理装置であり、
前記第１の表示部は、前記第２の表示部が前記表示情報を視聴者に向けて提示する方向とは逆側における、当該第２の表示部に対する当該第１の表示部の相対的な位置関係に応じた、前記表示情報の表示先の制御と前記レイアウトの制御とのうち、少なくともいずれかの制御に基づいて、前記表示情報の表示が制御される、前記（１）に記載の情報処理装置。
（６）
前記第１の表示部は、前記第２の表示部が前記表示情報をユーザに向けて提示する方向とは逆側における所定の領域内に前記第１の表示部が位置する場合に、前記第２の表示部に表示された前記表示情報のうち少なくとも一部の表示情報が表示されるように制御される、前記（５）に記載の情報処理装置。
（７）
前記第１の表示部は、当該第１の表示部に表示された前記表示情報と、前記第２の表示部に表示された前記表示情報のうち少なくとも一部の表示情報とが統合された表示情報を表示されるように制御される、前記（６）に記載の情報処理装置。
（８）
前記第１の表示部は、前記第２の表示部に対する当該第１の表示部の相対的な位置関係に応じた、前記表示情報のレイアウトを変更する制御に基づいて、当該表示情報の表示が制御される、前記（５）〜（６）のいずれか一項に記載の情報処理装置。
（９）
前記第１の表示部は、前記第２の表示部に表示された表示情報の表示位置に応じた、当該第１の表示部に表示される表示情報のレイアウトを変更する制御に基づいて、当該表示情報の表示が制御される、前記（８）に記載の情報処理装置。
（１０）
前記第１の表示部は、前記第２の表示部に対する当該第１の表示部の相対的な位置関係と、前記第２の表示部における前記表示情報の表示態様とに応じた、当該第１の表示部に表示される前記表示情報の表示態様を変更する制御に基づいて、当該表示情報の表示が制御される、前記（５）〜（９）のいずれか一項に記載の情報処理装置。
（１１）
前記第１の表示部は、前記第２の表示部が前記表示情報をユーザに向けて提示する方向とは逆側における所定の領域内に前記第１の表示部が位置する場合に、前記第２の表示部における前記表示情報の表示態様に基づき、当該第１の表示部に表示される前記表示情報の表示態様が変更されるように、当該表示情報の表示が制御される、前記（１０）に記載の情報処理装置。
（１２）
前記第１の表示部は、前記表示情報の拡大率を前記表示態様として変更する制御に基づいて、当該表示情報の表示が制御される、前記（１０）または（１１）に記載の情報処理装置。
（１３）
前記第１の表示部と前記第２の表示部との間の相対的な位置関係に応じて、前記表示情報の表示先の制御と、前記レイアウトの制御とのうち、少なくともいずれかの制御を実行する制御部を備えた、前記（１）〜（１２）のいずれか一項に記載の情報処理装置。
（１４）
前記第１の表示部と前記第２の表示部との間の相対的な位置関係を示す位置情報を取得する位置情報取得部を備え、
前記制御部は、取得された前記位置情報に基づき、前記表示情報の表示先の制御と、前記レイアウトの制御とのうち、少なくともいずれかの制御を実行する、前記（１３）に記載の情報処理装置。
（１５）
表示情報を取得することと、
プロセッサが、第１の表示部に前記表示情報を表示することと、
前記第１の表示部と外部装置に設けられた第２の表示部との間の相対的な位置関係に応じた、前記第１の表示部と前記第２の表示部との間における前記表示情報の表示先の制御と、前記第１の表示部に表示される前記表示情報のレイアウトの制御とのうち、少なくともいずれかの制御に基づいて、前記第１の表示部への前記表示情報の表示が制御されること、
を含む情報処理方法。
（１６）
第１の表示部を備えた第１の情報処理装置と、
第２の表示部を備えた第２の情報処理装置と、
前記第１の表示部と前記第２の表示部との間の相対的な位置関係に応じて、前記第１の表示部と前記第２の表示部との間における表示情報の表示先と、前記第１の表示部に表示される前記表示情報のレイアウトとのうち、少なくともいずれかを制御する制御部と、
を備えた、情報処理システム。
（１７）
表示情報を取得する情報取得部と、
第１の表示部と、当該第１の表示部とは異なる装置に設けられた第２の表示部との間の相対的な位置関係に応じて、前記第１の表示部と前記第２の表示部との間における前記表示情報の表示先と、前記第１の表示部に表示される前記表示情報のレイアウトとのうち、少なくともいずれかを制御する制御部と、
を備えた、情報処理装置。
【符号の説明】
【０１４９】
１０    眼鏡型端末
１１    情報処理ユニット
１３    位置情報取得部
１５ａ、１５ｂ  レンズ
１７    表示部
１９    保持部
１０１  制御部
１０３  通信部
１０５  解析部
３０    情報処理装置
３１    表示部
３０１  制御部
３０３  通信部
９０    制御装置
【図１】
2015176186.tif 000003
【図２】
2015176186.tif 000004
【図３】
2015176186.tif 000005
【図４】
2015176186.tif 000006
【図５】
2015176186.tif 000007
【図６】
2015176186.tif 000008
【図７】
2015176186.tif 000009
【図８】
2015176186.tif 000010
【図９】
2015176186.tif 000011
【図１０】
2015176186.tif 000012
【図１１】
2015176186.tif 000013
【図１２】
2015176186.tif 000014
【図１３】
2015176186.tif 000015
【図１４】
2015176186.tif 000016